(57)【要約】      （修正有）【課題】ジクロロベンゼン等の芳香族系の溶剤に対しても十分な耐薬品性を有する作業用合羽を提供する。【解決手段】ズボン１１及び上着１２の生地には、生布の上に溶着可能な樹脂材をコーティングしたシート材Ａを用い、オーバーエプロン１３の生地には、生布の上に芳香族系溶剤に不溶なゴム系シートがコーティングされたシート材Ｂ又は直接ゴム系のシート材Ｃを用いる。さらに、ズボン１１及び上着１２はシート材Ａからなる各パーツが溶着による接合によって形成され、オーバーエプロン１３はシート材Ｂ又はシート材Ｃを縫合することによって形成され、しかも上着１２の背部には覆い付きの複数の空気孔が設けられている。【選択図】図１
0003178429.tif 000002
【実用新案登録請求の範囲】
【請求項１】
１）腰部より下部が左右に分かれた脚部を有するズボンと、２）身頃部、該身頃部の上両側に一体として連結される左右の袖部、及び前記身頃部の上中央に一体として設けられ正面に開口が設けられたフード部を備える上着と、３）前記上着の上に更に被さるオーバーエプロンとを有する芳香族系溶剤の洗浄作業に使用する作業用合羽であって、
前記ズボン及び前記上着の生地には、生布の上に溶着可能な樹脂材をコーティングしたシート材Ａを用い、前記オーバーエプロンの生地には、生布の上に前記芳香族系溶剤に不溶なゴム系シートがコーティングされたシート材Ｂ又は直接ゴム系のシート材Ｃを用い、
前記ズボン及び前記上着は前記シート材Ａからなる各パーツが溶着による接合によって形成され、前記オーバーエプロンは前記シート材Ｂ又は前記シート材Ｃを縫合することによって形成され、しかも前記上着の背部には覆い付きの複数の空気孔が設けられていることを特徴とする作業用合羽。
【請求項２】
請求項１の作業用合羽において、前記樹脂材はＰＶＣであって、前記シート材Ａの厚みは０．３５〜０．４５ｍｍであり、前記オーバーエプロンの生地にはフッ素ゴムを使用した前記シート材Ｂが使用され、該シート材Ｂの厚みは０．３５〜０．６ｍｍの範囲にあることを特徴とする作業用合羽。
【請求項３】
請求項１又は２記載の作業用合羽において、前記袖部の先側は二重袖になって、内側の袖は手首に密着する筒状ゴムからなっていることを特徴とする作業用合羽。
【考案の詳細な説明】
【技術分野】
【０００１】
本考案は、化学工場等で容器又は機器に付着した芳香族系溶剤（例えば、ジクロロベンゼン）等の洗浄を行う場合に使用する作業用合羽に関する。
【背景技術】
【０００２】
化学工場等では定期的に芳香族有機溶剤の付着した容器（タンク）や機器等の高圧洗浄を行う場合があり、付着した溶剤が飛散し人体に付着すると危険であるので、例えば特許文献１に記載のような特別構造の作業服が使用されている。
【０００３】
この特許文献１においては、上着の襟ぐりをハイネック形状にすると共に、袖部を二重構造として内側は絞り口としているが、フードは無く別に用意する必要がある。また、他の従来例に係る作業用合羽においては上着の上にフードを設けるものも提案されている。
【先行技術文献】
【特許文献】
【０００４】
【特許文献１】実開平１−９３０５６号公報
【考案の概要】
【考案が解決しようとする課題】
【０００５】
しかしながら従来の作業用合羽においては、以下のような問題がある。
（１）従来の作業用合羽の生地には、ポリエステル系の繊維を合成樹脂で挟んで作られるターポリン（防水布）が使用されているので、例えば、ジクロロベンゼン等の芳香族系の溶剤に対して侵されやすく、ジェット洗浄等で長時間使用すると溶剤が作業用合羽の内側まで浸透する場合があるという問題があった。
（２）頭部には飛沫がかかるので、当然フードは使用するが、通常フードと作業着が分離しているので、隙間から溶剤が滲み込む場合があり非常に危険である。
（３）更に、上着を密閉構造にすると、通気性が悪く、夏場や温度の高い場所での作業には長時間使用できない。
（４）フードを有する作業用合羽全体を芳香族系の溶剤に耐えるシートとすることも理論上可能であるが、平面状のシートから作るので縫合又は接合が必要であり、溶剤に耐えるシートを強度を有して接合することは難しい。
【０００６】
本考案は、かかる事情に鑑みてなされたもので、ジクロロベンゼン等の芳香族系の溶剤に対しても十分な耐薬品性を有する作業用合羽を提供することを目的とする。
【課題を解決するための手段】
【０００７】
前記目的に沿う本考案に係る作業用合羽は、１）腰部より下部が左右に分かれた脚部を有するズボンと、２）身頃部、該身頃部の上両側に一体として連結される左右の袖部、及び前記身頃部の上中央に一体として設けられ正面に開口が設けられたフード部を備える上着と、３）前記上着の上に更に被さるオーバーエプロンとを有する芳香族系溶剤の洗浄作業に使用する作業用合羽であって、
前記ズボン及び前記上着の生地には、生布の上に溶着可能な樹脂材をコーティングしたシート材Ａを用い、前記オーバーエプロンの生地には、生布の上に前記芳香族系溶剤に不溶なゴム系シートがコーティングされたシート材Ｂ又は直接ゴム系のシート材Ｃを用い、
前記ズボン及び前記上着は前記シート材Ａからなる各パーツが溶着による接合によって形成され、前記オーバーエプロンは前記シート材Ｂ又は前記シート材Ｃを縫合することによって形成され、しかも前記上着の背部には覆い付きの複数の空気孔が設けられている。
【０００８】
本考案に係る作業用合羽において、前記樹脂材はＰＶＣであって、前記シート材Ａの厚みは０．３５〜０．４５ｍｍであり、前記オーバーエプロンの生地にはフッ素ゴムを使用した前記シート材Ｂが使用され、該シート材Ｂの厚みは０．３５〜０．６ｍｍの範囲にあるのが好ましい。
また、本考案に係る作業用合羽において、前記袖部の先側は二重袖になって、内側の袖は手首に密着する筒状ゴムからなっているのが好ましい。
なお、前記芳香族系溶剤としては、ジクロロベンゼン、トリクロロベンゼン等がある。
【考案の効果】
【０００９】
本考案に係る作業用合羽は以上のように構成され、直接降りかかる芳香族系溶剤を、この溶剤に対して不溶のシート材Ｂ又はシート材Ｃを用いたオーバーエプロンで防いでいるので、作業者の身体に直接触れるのを防止できる。
そして、このようなシート材Ｂ及びシート材Ｃは強固な接合が困難であるので、裁断したシート材Ｂ又はシート材Ｃを縫合によって各部分を接合し、オーバーエプロンを形成している。
【００１０】
このオーバーエプロンの下には、生地自体を溶着によって接合できる生地を用いて作った上着、ズボンを着用しているので、密封性を高めた作業用合羽を構成できる。そして、直接降りかかる溶剤に対してはオーバーエプロンで保護している。
また、上着の背部には空気孔を設けているので、上着内に空気を導入して作業者を冷やす場合の空気抜きとなり、上着が膨らむのを防止する。
【図面の簡単な説明】
【００１１】
【図１】本考案の一実施の形態に係る作業用合羽の使用状態の正面図である。
【図２】同作業用合羽の使用状態の背面図である。
【図３】同作業用合羽のズボンと上着の着用状態を示す正面図である。
【図４】（Ａ）、（Ｂ）はそれぞれ同作業用合羽の上着の一部背面図である。
【図５】（Ａ）、（Ｂ）はそれぞれ同作業用合羽の袖口の説明図である。
【考案を実施するための形態】
【００１２】
続いて、添付した図面を参照しながら、本考案を具体化した実施の形態について説明する。
図１、図２、図３に示すように、本考案の一実施の形態に係る作業用合羽１０は、ズボン１１と、上着１２と、上着１２の上に更に被さるオーバーエプロン１３とを有している。以下、これらについて詳しく説明する。
【００１３】
ズボン１１と上着１２の生地には、例えば、ポリエステル等の生布の上に例えばＰＶＣ（ポリ塩化ビフェニール、溶着可能な樹脂材の一例）等をコーティングしたシート材Ａを用いている。そして、シート材Ａは所定幅（例えば６インチ）のロール巻で販売されているので、このシート材Ａを所定形状に切断して、端部を溶着して、ズボン１１と上着１２を製造する。
【００１４】
ここで、シート材Ａの厚みは、０．３５〜０．４５ｍｍとなっている。このシート材Ａの厚みが０．３５ｍｍより薄いと強度が無くなり、０．４５ｍｍを超えると重量が重くなる。なお、シート材Ａとしては、ＰＶＣ以外の他の材料、例えば、ナイロン、ビニロン等接合性を有する材料を使用することもできるが、芳香族系溶剤、例えばジクロロベンゼンに対してより溶けない素材を選定するのが好ましい。
【００１５】
ズボン１１の腰部２３より下部が左右に分かれた脚部１５、１６の裾１７、１８には絞りはなく、円筒状となって内部に作業者１９が履いている長靴２０、２１の上側が嵌入できる構造となっている。なお、脚部１５、１６の上部には腰部２３があり、この上部には締着用のバンド又はゴム紐が挿通でき、確実にズボン１１を作業者１９が履いて容易に脱げない構造になっている。
【００１６】
上着１２はズボン１１と同一の生地で構成され、作業者１９を覆う身頃部２５と、身頃部２５の上両側に一体として連結される左右の袖部２８、２９と、身頃部２５の上中央にある襟部３０の上縁に接続されているフード部３１とを有している。身頃部２５、袖部２８、２９及びフード部３１は生地自体の熱溶着性を利用して、各パーツ（裁断されたシート材）が一体的に水漏れなく接合されている。
【００１７】
フード部３１には正面に開口３２が形成され、目又は目及び鼻が露出するようになっている。なお、開口３２には作業用覆い眼鏡（又はゴーグル）３２ａを被せることによって、開口３２を周囲環境から閉塞し、顔全体を覆うようになっている。
【００１８】
特に、上着１２の袖部２８、２９の先側は二重袖となって、内部の袖は、図５（Ａ）、（Ｂ）に示すように、筒状ゴム（ゴムシートが素材）３４を有し、手首に密着するようになっている。なお、筒状ゴム３４の素材はフッ素ゴムによって構成することが好ましいが、他の芳香族系溶剤によって溶け難いゴム（例えば、シリコンゴム）であってもよい。筒状ゴム３４と袖部２８、２９との接合は困難であるので、縫合でもよいが、筒状ゴム３４と袖部２８、２９との接合部分全体は、ＰＶＣ生地による袖端部３５、３６によって覆われている。なお、３０ａは筒状ゴム３４の上に装着する防液性を有する手袋を示す。
【００１９】
図４（Ａ）、（Ｂ）に示すように、この上着１２の背部（即ち、背中部分）には、複数（この実施の形態では３）の空気孔３７が設けられ、その上に開閉できる覆い３８が設けられている。この覆い３８は矩形又はそれに近い形状となって上端が上着１２の背中地に接合され、通常の状態では、空気孔３７を塞ぎ、上着１２内（即ち、作業者１９の背中と上着１２の間）に空気が供給されると、空気孔３７から空気が逃げて、上着１２の内側に風を発生させることができる。空気の供給は、圧縮空気源に接続されているホース又は携帯するガスボンベによって行うことができる。なお、３８ａは反射材を示す。
【００２０】
次に、図１、図２を参照しながら、上着１２の上に被るオーバーエプロン１３について説明する。
図１、図２に示すように、このオーバーエプロン１３は前掛け状となって、ズボン１１及び上着１２を着た作業者１９の前側全面及び後ろ側両側を覆う身頃部（エプロン本体）４０と、身頃部４０の上側両端に一端がそれぞれ固定された首掛け紐４１、４２と、身頃部４０の後ろ側中央の両側に一端が固定された後ろ紐４３、４４とを有している。身頃部４０は上着１２を着た作業者１９に装着すると、作業者１９の背中中央を露出させ、他の部分を覆うようになっている。
【００２１】
オーバーエプロン１３の生地はポリエステル等の強度を有する生布の表面に芳香族系の溶剤に対して不溶なゴム系のシート（例えば、フッ素ゴム又はシリコンゴム）等のゴム材がコーティングされた生地（シート材Ｂ）からなる。これらの生地の厚みは０．３５〜０．６ｍｍの範囲にあり、この範囲より薄いと強度が不足し、厚い場合には重量が重くなる。なお、オーバーエプロン１３の材料としては、単に、芳香族系の溶剤に対して不溶なゴム系のシート材Ｃを使用することもできる。このオーバーエプロン１３は両側に袖部４０ａ、４０ｂを有し、上着１２の袖部２８、２９を覆っている。また、オーバーエプロン１３の首の部分には、フード３１の接続部分を覆う襟部（カラー）４０ｃが設けられている。
【００２２】
シート材Ｂ（又はシート材Ｃ）は、生地自体を溶着によって接合することは困難であるので、生地の端部を縫合（例えば、本縫い）によって接合する。この場合、突き合わせ縫合でもよいが、重ね合わせ縫合とするのが好ましい。なお、首掛け紐４１、４２及び後ろ紐４３、４４は通常の合成樹脂繊維の紐、又は天然繊維性の紐であってもよい。
【００２３】
従って、この作業用合羽１０を使用する場合は、１）ズボン１１を履いて、脚部１５、１６の裾１７、１８を長靴２０、２１の上に被せ、２）上着１２の下から首を突っ込んで、上着１２を着る。この状態で、両側袖部２８、２９の筒状ゴム３４に手を通す。３）オーバーエプロン１３を図１、図２に示すように着用し、手にゴム製の手袋３０ａを嵌め、保護用の眼鏡（作業用覆い眼鏡３２ａ）を装着して作業準備が完了する。
【００２４】
この作業用合羽１０の材質について、１）ポリエステル系の繊維を合成樹脂フィルムでサンドイッチ状にした素材であるターポリン（ＰＶＣ）、２）これを改良した他メーカの生地ＧＳ、３）ＡＦ−３５０（フッ素ゴム）を用いて引張強度、引裂強さ、ジクロロベンゼンに対する耐透過性試験を行った結果、及び平均標準破過点検出時間の測定結果を表１に示す。
【００２５】
【表１】
0003178429.tif 000003
【００２６】
この作業用合羽１０を装着し、高圧洗浄のノズルを持って対象物の表面の清掃を行うことになるが、ジクロロベンゼン等を含む飛沫を浴びても、オーバーエプロン１３が飛沫の降り掛かりを防止でき、オーバーエプロン１３の内側に侵入した溶剤は、上着１２とズボン１１によって内部への侵入を防止する。手と足に付着する溶剤については、手袋３０ａと長靴（フッ素ゴムがコーティングされたものであるのが好ましい）２０、２１によってカバーする。
【００２７】
本考案は前記した実施の形態に限定されるものではなく、本考案の要旨を変更しない範囲でその構成を変更することもできる。
例えば、ズボン、上着、オーバーエプロン等のサイズは、着る人によって異なるので、大、中、小の三種類を用意することも、オーバーエプロンの形状を身体全体を覆うようにすることも自由である。
【符号の説明】
【００２８】
１０：作業用合羽、１１：ズボン、１２：上着、１３：オーバーエプロン、１５、１６：脚部、１７、１８：裾、１９：作業者、２０、２１：長靴、２３：腰部、２５：身頃部、２８、２９：袖部、３０：襟部、３０ａ：手袋、３１：フード部、３２：開口、３２ａ：作業用覆い眼鏡、３４：筒状ゴム、３５、３６：袖端部、３７：空気孔、３８：覆い、３８ａ：反射材、４０：身頃部、４０ａ、４０ｂ：袖部、４０ｃ：襟部、４１、４２：首掛け紐、４３、４４：後ろ紐
【図１】
0003178429.tif 000004
【図２】
0003178429.tif 000005
【図３】
0003178429.tif 000006
【図４】
0003178429.tif 000007
【図５】
0003178429.tif 000008